(57)【要約】      （修正有）【課題】蓄積型放送による蓄積を継続しつつ、リアルタイム型放送の視聴をユーザが行うことが可能なデジタル放送受信装置を提供する。【解決手段】デジタル放送受信装置は、放送受信部と、放送波の識別情報と放送波の周波数帯域とを関連付けた関連情報を記録する記録部とを備えている。また、選局された放送波の周波数帯域を関連情報により判別して放送受信部を制御する受信制御部を備える。また、分割送信されて受信側での記録媒体に記録された後に結合されるデータである蓄積型データを、放送受信部により受信された放送波に含まれるデータから生成して記録する蓄積処理部１４ｂを備える。また、蓄積型データの生成が実施されている状態において番組等の再生指示を検知した場合に、蓄積型データと同一の周波数帯域で受信可能であり且つ蓄積処理を必要としないデータを判別して再生を行う再生制御部１４ｄを備える。【選択図】図２
2013031078.tif 000002
【特許請求の範囲】
【請求項１】
放送波の受信及び選局を行う放送受信部と、
放送波の識別情報と該放送波を受信するための周波数帯域とを関連付けた関連情報を記録した記録部と、
選局指示を受け付け、選局指示された放送波を受信するための周波数帯域を前記関連情報により判別し、判別した前記周波数帯域による選局及び受信を行うよう前記放送受信部を制御する受信制御部と、
分割送信されて受信側で記録媒体に記録された後に結合されて生成されるデータである蓄積型データを、前記放送受信部により受信された放送波に含まれるデータを記録及び結合することにより生成して前記記録部に記録する蓄積処理部と、
前記蓄積処理部により前記蓄積型データの生成が実施されている状態において、放送波に含まれるデータの再生指示を検知した場合に、該蓄積型データと同一の周波数帯域で受信可能であり且つ前記蓄積処理部を必要とすることなく再生可能であるデータを判別し、判別した該データのみを対象として再生を行う再生制御部と、
を備えることを特徴とするデジタル放送受信装置。
【請求項２】
前記デジタル放送受信装置は、前記蓄積型データの生成が実施されている周波数帯域で受信可能である一または複数のデータの内容を示すデータ識別情報を取得し、前記蓄積処理部を必要とすることなく再生可能であるデータを前記データ識別情報に基づいて判別し、判別結果を示す判別情報を生成して前記記録部に記録する判別部を備え、
前記再生制御部は、前記蓄積処理部により前記蓄積型データの生成が実施されている状態において、放送波に含まれるデータの再生指示を検知した場合に、該データが前記蓄積処理部を必要とすることなく再生可能であるか否かを前記判別情報に基づいて判定すること
を特徴とする請求項１に記載のデジタル放送受信装置。
【請求項３】
前記再生制御部は、前記蓄積処理部により前記蓄積型データの生成が実施されている状態において、放送波に含まれるデータの再生指示を検知し、且つ該データの再生を実施するために周波数帯域の変更が必要である場合に、通知を行うこと
を特徴とする請求項２に記載のデジタル放送受信装置。
【請求項４】
前記再生制御部は、前記通知を行う場合に、前記変更を行うために受信の中断が必要である前記蓄積型データの再放送日時または再放送回数を示す情報を放送波より取得し、前記通知に該情報を含めること
を特徴とする請求項３に記載のデジタル放送受信装置。
【請求項５】
前記蓄積処理部は、前記蓄積型データとして放送波に含まれるＶＩＣＳ（Vehicle Information and Communication System）データを生成して前記記録部に記録し、
前記再生制御部は、前記蓄積処理部により前記ＶＩＣＳデータの生成が実施されている状態において、放送波に含まれるデータの再生指示を検知した場合に、前記ＶＩＣＳデータと同一の周波数帯域で受信可能であり且つ前記蓄積処理部を必要とすることなく再生可能であるデータを判別し、判別した該データのみを対象として再生を行うこと
を特徴とする請求項４に記載のデジタル放送受信装置。
【請求項６】
前記再生制御部は、前記蓄積処理部により前記ＶＩＣＳデータの生成が実施されている状態において、放送波に含まれるデータの再生指示を検知した場合に、該データを受信するための周波数帯域において前記ＶＩＣＳデータが受信可能であるか否かを判定し、受信可能である場合にのみ選局及び該データの受信を許可すること
を特徴とする請求項５に記載のデジタル放送受信装置。
【請求項７】
前記蓄積処理部は、Ｖ−Ｈｉｇｈマルチメディア放送またはＶ−Ｌｏｗマルチメディア放送において実施される蓄積型放送の放送波を用いて前記蓄積型データを生成して前記記録部に記録すること
を特徴とする請求項６に記載のデジタル放送受信装置。
【請求項８】
前記受信制御部または前記判別部は、放送波に含まれるＮＩＴ（Network Information Table）、ＰＡＴ（Program Association Table）、ＥＩＴ（Event Information Table）、または広域通信網を介して得られる通信情報から、前記関連情報または前記データ識別情報を取得すること
を特徴とする請求項７に記載のデジタル放送受信装置。
【発明の詳細な説明】
【技術分野】
【０００１】
本発明は、デジタル放送波を受信するデジタル放送受信装置に関するものであり、特に、放送波に含まれる分割データが所定条件を満たして蓄積された段階でデータ処理可能となる蓄積型放送の受信機能を備えた、移動体用のデジタル放送受信装置に関する。
【背景技術】
【０００２】
近年、デジタル放送の普及が進められている。例えば日本においては、一部の地域を除き、地上アナログ放送が２０１１年に放送終了され、地上デジタル放送への移行が行われた。これに伴い、カーナビや携帯電話等に搭載される移動体用のデジタル放送受信装置も、広く開発が行われている。
【０００３】
デジタル放送の中には、受信して即座に視聴や字幕・データ放送の表示等のデータ処理可能なリアルタイム型放送（例えば地上デジタル放送）の他に、放送波で送られてくる分割データを受信機に一旦記録し（以下、「蓄積」という）、分割データが所定条件を満たして蓄積された段階で再生等のデータ処理が可能となる蓄積型放送がある。
【０００４】
蓄積型放送を含むデジタル放送としては、例えば、日本の総務省が中心となって実現化が進められているＶ−Ｈｉｇｈマルチメディア放送やＶ−Ｌｏｗマルチメディア放送が存在する。蓄積型放送では、分割データとしてＴＳ（transport stream）ファイル等を伝送することが検討されている。
【０００５】
デジタル放送では、一つの放送局につき複数のサービス（ｓｅｒｖｉｃｅ＿ｉｄ）を定義することが可能であり、一つのサービスにつき同時に放送可能な番組（ｅｖｅｎｔ＿ｉｄ）は一つのみである。言い換えると、サービスの数だけ同時に複数の番組放送を行える。
【０００６】
例えば地上デジタル放送では、一つの放送局につき二〜五サービスを使用しているケースが多い。ただし、複数のサービスで同一番組を放送することがあるため、多くの場合は一つの放送局につき一番組、または二番組のみの放送を行う運用になっている。
【０００７】
このため地上デジタル放送の予約録画では、録画日時になったら録画する番組（＝コンテンツ）を受信機が選局して録画し、ユーザは録画番組と同一の番組を視聴するという一般的な形態である。もしユーザが録画番組と異なる番組を視聴したい場合、例えば二つ以上のチューナを受信機に搭載させ、録画用に動作するチューナと視聴用に動作するチューナとに役割を分担させる。
【０００８】
上記に関連して特許文献１においては、録画番組と視聴番組とが一致するか否かを判定し、録画番組を録画中に同録画番組の視聴をユーザが開始した場合に、録画の停止を自動的に行う録画装置が開示されている。
【先行技術文献】
【特許文献】
【０００９】
【特許文献１】特開２００８−２２８０８５号公報
【発明の概要】
【発明が解決しようとする課題】
【００１０】
これに対してマルチメディア放送では、一つの周波数帯域に複数のソフト事業者が混在して放送が行われる。つまり、一周波数帯域で複数の番組を視聴可能という運用が一般的になると想定される。このため、リアルタイム型放送と蓄積型放送とを一周波数帯域内に混在させる運用形態が想定される。
【００１１】
このように混在している場合、複数のチューナを備えていなくとも、一周波数帯域内の複数の番組について、ユーザは蓄積（録画を含むデータ記録）と視聴とを同時に行うことが可能である。ただし混在する場合、蓄積データの伝送に使用できる帯域は、混在しない場合と比較して限られたものとなる。
【００１２】
例えばＶ−Ｌｏｗマルチメディア放送では、一セグメント内に蓄積型放送としてＶＧＡ（Video Graphics Array）の動画を伝送する運用が検討されている。しかし限られた帯域で、動画情報のような大容量コンテンツを送出した場合、蓄積が完了するまでに長い時間かかることが想定される。
【００１３】
このため、蓄積型放送対応の受信機には、テレビのラテ欄のようなコンテンツ蓄積予約用の一覧画面等から蓄積を予約し、蓄積日時になったら蓄積を開始するといった機能が搭載されると推定される。蓄積予約からの蓄積実行を従来技術に当てはめると、蓄積日時になったら予約していた番組を選局し、蓄積を開始することになる。
【００１４】
ただしこの場合でも、蓄積開始から蓄積完了までには数分から数時間がかかるため、蓄積と蓄積型データの再生とを並行して行うことは難しい。仮にできたとしても、蓄積済みのデータを繰り返し再生することしかできない。このため蓄積処理中において、ユーザの待ち時間が発生するという問題があった。
【００１５】
本発明は、上記の問題を解決するためになされたものであり、その目的は、蓄積型放送を受信する機能を備えたデジタル放送受信装置であって、チューナを一つしか備えていない構成であっても、蓄積型放送による蓄積を継続しつつ、リアルタイム型放送の視聴をユーザが行うことが可能なデジタル放送受信装置を提供することにある。
【課題を解決するための手段】
【００１６】
上記目的を達成するために本発明のデジタル放送受信装置は、放送波の受信及び選局を行う放送受信部と、放送波の識別情報と該放送波を受信するための周波数帯域とを関連付けた関連情報を記録した記録部と、選局指示を受け付け、選局指示された放送波を受信するための周波数帯域を前記関連情報により判別し、判別した前記周波数帯域による選局及び受信を行うよう前記放送受信部を制御する受信制御部と、分割送信されて受信側で記録媒体に記録された後に結合されて生成されるデータである蓄積型データを、前記放送受信部により受信された放送波に含まれるデータを記録及び結合することにより生成して前記記録部に記録する蓄積処理部と、前記蓄積処理部により前記蓄積型データの生成が実施されている状態において、放送波に含まれるデータの再生指示を検知した場合に、該蓄積型データと同一の周波数帯域で受信可能であり且つ前記蓄積処理部を必要とすることなく再生可能であるデータを判別し、判別した該データのみを対象として再生を行う再生制御部と、を備えること特徴とする。
【００１７】
この構成によると、本発明のデジタル放送受信装置は、放送波の受信及び選局を行う放送受信部と、放送波の識別情報と周波数帯域とを関連付けた関連情報を記録した記録部とを備える。また、選局指示を受け付け、選局指示された放送波を受信するための周波数帯域を関連情報により判別して選局及び受信を行うよう放送受信部を制御する受信制御部を備える。また、分割送信されて受信側で記録媒体に記録された後に結合されて生成されるデータである蓄積型データを、放送波に含まれるデータを記録及び結合することにより生成して記録部に記録する蓄積処理部を備える。また、蓄積処理部により蓄積型データの生成が実施されている状態において番組等の再生指示を検知した場合に、蓄積型データと同一の周波数帯域で受信可能であり且つ蓄積処理を必要としないデータを判別し、判別したデータのみを対象として再生を行う再生制御部を備える。
【００１８】
また上記目的を達成するために、本発明のデジタル放送受信装置は、前記蓄積型データの生成が実施されている周波数帯域で受信可能である一または複数のデータの内容を示すデータ識別情報を取得し、前記蓄積処理部を必要とすることなく再生可能であるデータを前記データ識別情報に基づいて判別し、判別結果を示す判別情報を生成して前記記録部に記録する判別部を備え、前記再生制御部は、前記蓄積処理部により前記蓄積型データの生成が実施されている状態において、放送波に含まれるデータの再生指示を検知した場合に、該データが前記蓄積処理部を必要とすることなく再生可能であるか否かを前記判別情報に基づいて判定することを特徴とする。
【００１９】
この構成によると、本発明のデジタル放送受信装置は、蓄積型データの生成が実施されている周波数帯域で受信可能なデータの内容を示すデータ識別情報を取得し、蓄積処理部を必要とすることなく再生可能であるデータをデータ識別情報に基づいて判別し、判別結果を示す判別情報を生成して記録部に記録する判別部を備える。再生制御部は、蓄積処理部により蓄積型データの生成が実施されている状態において番組等の再生指示を検知した場合に、このデータが蓄積処理を必要とすることなく再生可能であるか否かを、判別情報に基づいて判定する。
【００２０】
また上記目的を達成するために、前記再生制御部は、前記蓄積処理部により前記蓄積型データの生成が実施されている状態において、放送波に含まれるデータの再生指示を検知し、且つ該データの再生を実施するために周波数帯域の変更が必要である場合に、通知を行うことを特徴とする。
【００２１】
この構成によると、再生制御部は、蓄積処理部により蓄積型データの生成が実施されている状態において、番組等の再生指示を検知し、且つ該データの再生を実施するために周波数帯域の変更が必要である場合に、蓄積型データの生成を中断して周波数帯域を変更する必要があること等を通知する。
【００２２】
また上記目的を達成するために、前記再生制御部は、前記通知を行う場合に、前記変更を行うために受信の中断が必要である前記蓄積型データの再放送日時または再放送回数を示す情報を放送波より取得し、前記通知に該情報を含めることを特徴とする。
【００２３】
この構成によると、再生制御部は、上記の通知を行う場合に、中断する必要のある蓄積型データの再放送日時または再放送回数を示す情報を放送波より取得し、この情報含めた通知を行う。
【００２４】
また上記目的を達成するために、前記蓄積処理部は、前記蓄積型データとして放送波に含まれるＶＩＣＳ（Vehicle Information and Communication System）データを生成して前記記録部に記録し、前記再生制御部は、前記蓄積処理部により前記ＶＩＣＳデータの生成が実施されている状態において、放送波に含まれるデータの再生指示を検知した場合に、前記ＶＩＣＳデータと同一の周波数帯域で受信可能であり且つ前記蓄積処理部を必要とすることなく再生可能であるデータを判別し、判別した該データのみを対象として再生を行うことを特徴とする。
【００２５】
この構成によると、蓄積処理部は、蓄積型データとして、放送波に含まれるＶＩＣＳデータを取得して記録部に記録する。再生制御部は、蓄積処理部によりＶＩＣＳデータの生成が実施されている状態において番組等の再生指示を検知した場合に、ＶＩＣＳデータと同一の周波数帯域で受信可能であり且つ蓄積処理部を必要とすることなく再生可能であるデータを判別し、判別したデータのみを対象として再生を行う。
【００２６】
また上記目的を達成するために、前記再生制御部は、前記蓄積処理部により前記ＶＩＣＳデータの生成が実施されている状態において、放送波に含まれるデータの再生指示を検知した場合に、該データを受信するための周波数帯域において前記ＶＩＣＳデータが受信可能であるか否かを判定し、受信可能である場合にのみ選局及び該データの受信を許可することを特徴とする。
【００２７】
この構成によると、再生制御部は、蓄積処理部によりＶＩＣＳデータの生成が実施されている状態において番組等の再生指示を検知した場合に、再生指示されたデータを受信するための周波数帯域においてＶＩＣＳデータが受信可能であるか否かを判定し、受信可能である場合にのみ選局及び指示されたデータの受信を許可する。
【００２８】
また上記目的を達成するために、前記蓄積処理部は、Ｖ−Ｈｉｇｈマルチメディア放送またはＶ−Ｌｏｗマルチメディア放送において実施される蓄積型放送の放送波を用いて前記蓄積型データを生成して前記記録部に記録することを特徴とする。
【００２９】
この構成によると、蓄積処理部は、Ｖ−Ｈｉｇｈマルチメディア放送またはＶ−Ｌｏｗマルチメディア放送において実施される蓄積型放送の放送波を用いて、蓄積型データを生成して記録部に記録する。
【００３０】
また上記目的を達成するために、前記受信制御部または前記判別部は、放送波に含まれるＮＩＴ（Network Information Table）等のセクション情報、ＰＡＴ（Program Association Table）、ＥＩＴ（Event Information Table）、または広域通信網を介して得られる通信情報から、前記関連情報または前記データ識別情報を取得することを特徴とする。
【００３１】
この構成によると、受信制御部または判別部は、放送波に含まれるＮＩＴ等のセクション情報、ＰＡＴ、ＥＩＴ、または広域通信網を介して得られる通信情報から、関連情報またはデータ識別情報を取得する。
【発明の効果】
【００３２】
本発明によれば、蓄積が行われている周波数帯域で受信可能であり、且つ蓄積処理を必要とせず再生可能であるデータを判別し、判別したデータのみを対象とした再生を行い、ユーザが視聴できるようにする。これによりユーザは、即時視聴ができない蓄積型データの記録が実行されている状態において、記録を継続しつつ、即時視聴可能な番組を容易に選択して視聴することができる。
【００３３】
また本発明によれば、蓄積が行われている周波数帯域で受信不可であるデータの再生指示が検知された場合に、蓄積中のデータの再放送日時または再放送回数を判別して通知を行う。これにより、蓄積を中断するか、或いは異なる周波数帯域での視聴を諦めるかの判断を、ユーザがより好適に行うことができる。
【００３４】
また本発明によれば、ＶＩＣＳデータの受信及び生成が実施されている状態において所定データの再生指示が検知された場合に、周波数帯域を変更することなく再生可能であるデータのみを再生対象とする。或いは、ＶＩＣＳデータを受信可能である周波数帯域のデータのみを再生対象とする。これによりユーザは、ＶＩＣＳデータの生成を継続しつつ、即時視聴可能な番組を容易に選択して視聴することができる。
【図面の簡単な説明】
【００３５】
【図１】本発明のデジタル放送受信装置の内部構成を示すブロック図である。
【図２】本発明の機能部の構成を示すブロック図である。
【図３】蓄積予約情報管理テーブルを示すテーブル図である。
【図４】コンテンツ蓄積状況を示す模式図である。
【図５】選局情報管理テーブルを示すテーブル図である。
【図６】蓄積情報管理テーブルの生成処理を示すフロー図である。
【図７】選局情報管理テーブルの状態遷移を示す模式図である。
【図８】蓄積処理を示すフロー図である。
【図９】選局処理を示すフロー図である。
【図１０】通知画面を示す画面図である。
【発明を実施するための形態】
【００３６】
以下に本発明の実施形態を、図面を参照しながら説明する。なお、ここで示す実施形態は一例であり、本発明はここに示す実施形態に限定されるものではない。
〈１−１．内部構成について〉
図１は、本発明の第一の実施形態に係る車載用受信装置１００（＝デジタル放送受信装置）の内部構成を示すブロック図である。図１のブロック図に示すように、本発明の車載用受信装置１００は、外部装置としてダイバーシティアンテナ１を接続可能である。
【００３７】
また車載用受信装置１００は少なくとも、チューナ１１（＝放送受信部）、復調部１２（＝放送受信部）、ＨＤＤ１３（＝記録部）、ＣＰＵ１４、ＲＡＭ１５、ＲＯＭ１６、オーディオフィルタ１７、オーディオデコーダ１８、ビデオフィルタ１９、ビデオデコーダ２０、データフィルタ２１、データデコーダ２２、出力部２３、及び操作入力部２４を備えている。
【００３８】
ただし、本発明は蓄積したコンテンツの再生機能にまで言及していないため、再生機能を別の受信機に持たせるという実施形態でもよい。この場合、コンテンツを蓄積する受信機にはオーディオフィルタやオーディオデコード、ビデオフィルタ、ビデオデコーダ等が不要になる。
【００３９】
チューナ１１は、ダイバーシティアンテナ１から地上デジタル放送信号を受信し、所望の物理チャンネル（＝周波数帯域）での選局を行う。またチューナ１１は、選局中の物理チャンネルにおいて放送波が受信不可となったか否かを監視する。具体的には例えば、車載用受信装置１００を搭載した車両が受信地域を跨ぐ等により、これまで受信していた放送波の電界強度が所定の閾値を下回った場合に、受信不可となったとみなす。
【００４０】
復調部１２は、チューナ１１から入力される選局された信号を復調及びエラー訂正し、ワンセグと１２セグとの、それぞれのＴＳを出力する。復調部１２により復調されたＴＳは、後述するオーディオフィルタ１７、ビデオフィルタ１９、及びデータフィルタ２１に与えられる。
【００４１】
ＨＤＤ（Hard Disk Drive）１３は、放送波より抽出された画像／音声データや蓄積データ等を格納する大容量の磁気記録媒体である。
【００４２】
ＣＰＵ１４は、各種演算、処理、制御を行う演算処理装置である。ＣＰＵ１４は、車載用受信装置１００の各部材の駆動を有機的に制御して、放送受信処理等を統括制御する。
【００４３】
ＲＡＭ１５は、ＣＰＵ１４のワークメモリ等に用いられる、読み書き可能な記録媒体である。
【００４４】
ＲＯＭ１６は、ＣＰＵ１４が実行する制御プログラム等を格納する、読み出し専用の記録媒体である。
【００４５】
オーディオフィルタ１７は、復調部１２から出力されたＴＳからオーディオデータのみを抽出する。オーディオデコーダ１８は、抽出されたオーディオデータを復号してデジタル音声信号を生成し、後述する出力部２３へ与える。
【００４６】
ビデオフィルタ１９は、復調部１２から出力されたＴＳからビデオデータのみを抽出する。ビデオデコーダ２０は、抽出されたビデオデータを復号してデジタル画像信号を生成し、後述する出力部２３へ与える。
【００４７】
データフィルタ２１は、復調部１２から出力されたＴＳから伝送パラメータ、ＮＩＴ（Network Information Table）、番組情報等のデータを抽出する。データデコーダ２２は、抽出されたデータを復号する。復号されたデータは、ＨＤＤ１３やＲＡＭ１５等に記録される。
【００４８】
出力部２３は液晶モニタ等の表示装置や、スピーカ等の音声装置を接続して画像信号及び音声信号を出力するための出力端子を含む。
【００４９】
操作入力部２４は、不図示のリモコン、及びリモコン受光部を含む。リモコンには、車載用受信装置１００に対して選局指示等を行うための、プッシュボタンやタッチセンサ等が備えられている。
【００５０】
また操作入力部２４は、車載用受信装置１００のハウジングに設けられたハードキーやタッチパネル等を含む。操作入力部２４は、上記装置のいずれかにより受け付けたユーザ操作に基づく操作信号を生成し、出力する。なお操作入力部２４は、必ずしも上記装置の全てを含む必要はなく、上記装置の一部のみを含む形態でもよい。
〈１−２．機能部の構成について〉
ここで、本発明の第一の実施形態に係る蓄積処理及び再生制御処理を実施するための各機能部の関係を、図２の機能ブロック図を用いながら説明する。なお図２においてＣＰＵ１４の内部に図示されている機能ブロックは、ＣＰＵ１４が所定のプログラムを実行することにより実現される機能部を表している。
【００５１】
図２に示すように、本実施形態の蓄積処理及び再生制御処理は、サーチ部１４ａ（＝受信制御部）、蓄積処理部１４ｂ、判別部１４ｃ、及び再生制御部１４ｄにより実施される。
【００５２】
サーチ部１４ａは、所定の放送波の受信を試行するサーチ処理を行う。サーチ部１４ａは、受信可能な物理チャンネル解析すると共に、不図示の選局候補テーブル（＝関連情報）を用いて、ユーザに指示されたソフト事業者（例えば放送局）が情報を配信している放送波の受信を試行する。
【００５３】
なお、選局候補テーブルとは、ソフト事業者毎にサーチする周波数帯域を対応付けたテーブルである。この周波数帯域は放送波のＮＩＴ等から取得する。なお、一ソフト事業者に対応する周波数帯域は複数存在する場合もある。
【００５４】
受信に成功した場合、この放送波の受信を開始する。受信に失敗した場合、サーチ部１４ａは選局候補テーブルに含まれる未チェックの周波数帯域を用いて、放送波の受信を試行する。
【００５５】
なお以下では、「選局」という文言について、一周波数帯域において複数の番組が放送されている放送形態において、周波数帯域を変更することなく視聴番組を変更する動作も「選局」と呼ぶものとする。
【００５６】
蓄積処理部１４ｂは、サーチ部１４ａによりサーチされて受信が開始され、且つデータフィルタ２１により抽出された放送データのうち、蓄積型放送により伝送される蓄積型データを抽出して所定の記録媒体、例えばＨＤＤ１３に記録する。また蓄積処理部１４ｂは、分割送信された蓄積型データの結合を行い、データ処理可能なデータ形式とする機能を持つ。
【００５７】
また蓄積処理部１４ｂは、ユーザより蓄積予約を受け付け、蓄積予約情報管理テーブル（図３）に、番組（サービス）を特定する情報等を記録する。なお蓄積予約は、蓄積コンテンツ用のラテ欄のような画面を表示し、ユーザ操作を受け付けることにより行われるものとする。
【００５８】
図３は、蓄積処理部１４ｂが生成する蓄積予約情報管理テーブルの一例を示すテーブル図である。図３に示すように、ｓｅｒｖｉｃｅ＿ｉｄ（ソフト事業者の識別ＩＤ）、ｅｖｅｎｔ＿ｉｄ（番組の識別ＩＤ）によりソフト事業者、及び番組を一意に特定できるものとする。
【００５９】
蓄積予約情報管理テーブルには蓄積番組の放送日時の他に、その放送が行われる周波数帯域も記録する。図３の例では、２０１１／０６／０６の１４：１５〜１６：００に周波数帯域９２．００ＭＨｚで放送される番組の蓄積予約が行われていることが示されている。
【００６０】
図４は、蓄積処理部１４ｂにより生成されるコンテンツ（＝蓄積型データ）の、蓄積状況のイメージを示した模式図である。図４のｅｖｅｎｔ＿ｉｄは、番組を識別するＩＤである。なおｅｖｅｎｔ＿ｉｄは、受信した放送波に含まれるＥＩＴ（Event Information Table）等から取得する。また図４の四角は蓄積処理の処理単位を表している。図４の例では、蓄積完了したデータを灰色で塗り潰している。
【００６１】
例えばｅｖｅｎｔ＿ｉｄ＝０ｘ２０００のコンテンツ１に注目すると、７つの四角が全て灰色になったときにコンテンツが完成となる。なお図４では一つの番組（ｅｖｅｎｔ＿ｉｄ）に対してコンテンツ１〜３を定義しているが、いくつのコンテンツが存在するかは放送波の情報から定まるものとする。
【００６２】
例えばＶ−Ｌｏｗマルチメディア放送ではｅｖｅｎｔ＿ｉｄ、ｅｘ＿ｅｖｅｎｔ＿ｉｄ等からコンテンツ１〜３を検出可能となる。また、コンテンツ１〜３はそれぞれ独立して蓄積が行われる。従って例えば、コンテンツ１の蓄積が完了していない状態でも、コンテンツ２の蓄積が完了すればコンテンツ２を再生可能である。
【００６３】
判別部１４ｃは、選局中のチャンネルで放送されている番組を検索し、その種別を蓄積型放送とリアルタイム型放送とで区別する。
【００６４】
判別部１４ｃは、例えば図５に示す選局情報管理テーブル（＝データ識別情報）を生成する。選局情報管理テーブルは、蓄積型放送とリアルタイム型放送とを区別して登録するためのテーブルである。なお、選局情報管理テーブルの更新タイミングとしては、常時更新を行う形態でもよいし、所定のタイミング、例えば選局が行われてチャンネルが切り替わったタイミングで行う形態でもよい。
【００６５】
図５に示すように、選局情報管理テーブルは、ｓｅｒｖｉｃｅ＿ｉｄ、放送の型、ｅｖｅｎｔ＿ｉｄ、番組時刻、番組名、選局可否の欄を含むように構成されている。ただし選局情報管理テーブルは、即時視聴可能なサービスを判別することを目的として用いられるため、これら六つのデータ全てを必ずしも保持する必要はない。
【００６６】
ｓｅｒｖｉｃｅ＿ｉｄは、サービスを識別するＩＤであり、ＢＳ／ＣＳ放送や地上デジタル放送、マルチメディア放送では一つの放送局が複数定義できる値である。なおマルチメディア放送では、ｓｅｒｖｉｃｅ＿ｉｄは、ソフト事業者を識別するためのＩＤとして用いることが可能である。
【００６７】
放送の型は、その番組がリアルタイム型放送であるか蓄積型放送であるかを示す情報である。なお、リアルタイム型放送か否かの判別は、例えばサービスＩＤの値や、或いはＥＩＴ等から得られる情報に基づいて行う。
【００６８】
ｅｖｅｎｔ＿ｉｄは、番組を識別するＩＤである。ある時刻において一サービスに含まれる番組（ｅｖｅｎｔ＿ｉｄ）の数は一つとなっている。つまり、ｓｅｒｖｉｃｅ＿ｉｄがｎ個あれば最大ｎ番組を同時に放送できるということになる。ただし、深夜などの時間帯によっては番組がないこともあるため、ｅｖｅｎｔ＿ｉｄが存在しないｓｅｒｖｉｃｅ＿ｉｄが発生する場合もある。
【００６９】
選局可否は、ユーザが選局操作を行った際に、該当する番組を選局対象とするか否かを示す情報である。選局可否の欄が「しない」になっている番組は、例えばアップダウン選局等においてスキップされる。
【００７０】
本実施形態では、蓄積中にリアルタイム型放送を選局することを可能とするため、選局する候補を図５から取得する。ただし、本発明は一つの受信システム（チューナ）を用いることを前提としているため、蓄積を行っている周波数帯域以外で放送されている番組は選局対象にしない。
【００７１】
また本実施形態では、蓄積中に選局する対象を「即時視聴な番組」としているが、本発明では一つの受信システムで蓄積中に選局することを特徴としているため、リアルタイム型放送のみを選局対象とする形態でもよい。この場合、図５に示すｓｅｒｖｉｃｅ＿ｉｄ＝０ｘ２４０３も選局対象に含めことになる。
【００７２】
なお、選局情報管理テーブルに登録する番組は、蓄積処理中の周波数帯域に含まれる番組に限定するものでもよいが、ラテ欄のように全放送局分の番組を登録する形態でも構わない。つまり、選局情報管理テーブルに登録されている全ての番組について、送出されている周波数帯域を把握し、蓄積処理中である周波数帯域の変更を必要としない番組のみを選局対象にできればよい。
〈１−３．選局情報管理テーブルの作成処理について〉
ここで、本発明の第一の実施形態に係る車載用受信装置１００が実施する選局情報管理テーブルの作成処理の処理フローについて、図６のフロー図を用いながら説明する。なお、選局情報管理テーブルの作成処理は、後述する蓄積処理や選局処理と並行して行われる。
【００７３】
判別部１４ｃはステップＳ１１０において、選局情報管理テーブルを初期化する。次に判別部１４ｃはステップＳ１２０において、放送波に含まれるセクション情報（ＮＩＴやＰＡＴ等）から、番組一覧を取得し、番組一覧を選局情報管理テーブルに登録する。ただし、番組一覧を別の方法で取得可能な場合は、ＮＩＴやＰＡＴを使用しない形態でもよい。
【００７４】
なお、蓄積処理が実施されている状態において登録を実施する場合、登録する番組を、蓄積処理が行われている周波数帯域で伝送されている番組に限定する形態でもよい。つまり、蓄積を中断しないと選局できない番組は、選局／視聴対象としない。
【００７５】
次に判別部１４ｃはステップＳ１３０において、登録した番組のうち、番組情報を取得できていない番組が存在するか否かを判定する。存在しない場合、選局情報管理テーブルの作成／更新が完了したとみなし、本処理を終了する。
【００７６】
番組情報を取得できていない番組が存在する場合、判別部１４ｃはステップＳ１４０において、番組情報を取得できていない番組の受信を試みる。なお、受信に失敗した場合は所定回数だけ繰り返して試行し、それでも受信に失敗した場合は当該番組を登録対象外としてステップＳ１３０へ再び移行する形態でもよい。
【００７７】
次に判別部１４ｃはステップＳ１５０において、上記で取得した番組情報に基づき、該当番組が即時視聴可能な番組、つまり現在放送中のリアルタイム型放送の番組であるか否かを判定する。なおこの判定は、例えば放送波に含まれるＥＩＴを取得して参照することにより行う。
【００７８】
即時視聴可能な番組である場合、判別部１４ｃはステップＳ１６０において、該当番組を選局対象とするよう、選局情報管理テーブルに登録する。つまり該当番組の「選局可否」欄（図５）を「する」に設定する。
【００７９】
即時視聴不可能な番組である場合、判別部１４ｃはステップＳ１６１において、該当番組を選局対象外とするよう、選局情報管理テーブルに登録する。つまり該当番組の「選局可否」欄を「しない」に設定する。
【００８０】
ステップＳ１６０またはステップＳ１６１により、選局情報管理テーブルの更新が完了すると、再びステップＳ１３０へ移行する。
【００８１】
なお、上記の処理では、ＥＩＴ等を取得して即時視聴可能かどうかを判断することを前提としているため、未登録の番組情報を受信しているが（ステップＳ１４０）、ｓｅｒｖｉｃｅ＿ｉｄの値からリアルタイム型放送と蓄積型放送との判断が可能な場合、番組一覧を登録する時点で、「選局可否」欄の「する」／「しない」を設定可能である。また、ＮＩＴ等から一括してこれらの情報を取得できる場合も同様である。この場合、ステップＳ１４０の処理は不要となる。
【００８２】
以上に説明した処理フローで生成される選局情報管理テーブルの生成イメージを、図７に示す。なお図７では、図５と異なり、番組名や現在時刻を省略している。図７の「選局可否」の欄は、録画や蓄積する時刻において即時視聴可能な番組か否かにより、値を設定している。従って、例えばｓｅｒｖｉｃｅ＿ｉｄによりリアルタイム型放送であると判別されても、ｅｖｅｎｔ＿ｉｄが取得できない場合は即時視聴可能ではないため、「選局可否」の欄に「しない」が設定される。
【００８３】
まず、ステップＳ１１０で選局情報管理テーブルの初期化が行われた時点で、図７（ａ）の状態となる。さらにステップＳ１２０で放送中の番組一覧を登録した時点で、図７（ｂ）の状態となる。
【００８４】
さらにステップＳ１４０で未登録の番組情報を受信し、且つステップＳ１５０で即時視聴可能な番組と判定された場合に、ステップＳ１６０により図７（ｃ）の状態となる。なお図７（ｃ）の例では、ｅｖｅｎｔ＿ｉｄが０ｘ２０００の番組の「選局可否」欄が「−（未登録）」から「する」に更新されている。
【００８５】
逆にステップＳ１５０で即時視聴可能な番組ではないと判定された場合に、ステップＳ１６１により、図７（ｄ）の状態となる。なお図７（ｄ）の例では、ｅｖｅｎｔ＿ｉｄが０ｘ５０００の番組の「選局可否」欄が「−（未登録）」から「しない」に更新されている。
〈１−４．蓄積処理について〉
ここで、本発明の第一の実施形態に係る車載用受信装置１００が実施する蓄積処理の処理フローについて、図８のフロー図を用いながら説明する。
【００８６】
本実施形態の処理フローは、図３に示すテーブルが既に受信機で作成されており、且つ車載用受信装置１００が通電状態にある場合において、任意のタイミングで開始することが可能である。
【００８７】
本処理の開始後、蓄積処理部１４ｂはステップＳ２１０において、蓄積予約情報管理テーブルを参照し、最も直近で蓄積の実行が必要な蓄積予約を判別する。例えば現在日時が２０１１年０６月０６日の１３：００である場合、図３のｅｖｅｎｔ＿ｉｄ＝０ｘ２０００が、該当する蓄積予約となる。
【００８８】
次に蓄積処理部１４ｂはステップＳ２２０において、ステップＳ２１０で判別した蓄積予約が示す蓄積実行日時になった時点で、ステップＳ２３０へ移行する。蓄積実行日時になっていない場合は監視を継続する。
【００８９】
なお、蓄積実行日時は、蓄積対象とする再放送の放送開始時刻と異なっても構わない。具体的には例えば、放送開始時刻前にサーチ処理を行い、放送開始時刻と同時に蓄積を開始する場合、このサーチ処理の開始時刻を蓄積実行日時とする。
【００９０】
なお、本処理フローでは、蓄積実行日時になっていなければ再度蓄積実行日時になったかを監視し続けているが、蓄積実行日時に合わせたタイマーを用いて、ステップＳ２２０に代わる処理を実施する形態でもよい。
【００９１】
次に蓄積処理部１４ｂはステップＳ２３０において、選局候補テーブルを参照し、未サーチのサーチ周波数を検索する。なお初回サーチ時には、選局候補テーブルに記述された最初のサーチ周波数を用いて、サーチを実行する形態でもよい。
【００９２】
未サーチのサーチ周波数があればステップＳ２４０へ移行する。未サーチのサーチ周波数がなければ、本処理を終了する。或いは、ステップＳ２３０へ再び移行する形態でもよい。これは、移動体受信等では一時的に受信状態が悪化することがあるため、サーチのループを繰り返すことによってサーチが成功する可能性があるためである。
【００９３】
次に蓄積処理部１４ｂはステップＳ２４０において、サーチ周波数を決定し、サーチを実行する。
【００９４】
次に蓄積処理部１４ｂはステップＳ２５０において、サーチに成功して蓄積対象の番組を受信できたか否かを判定する。受信できた場合、蓄積処理を開始する。なお蓄積処理は、蓄積コンテンツが完成した時点、もしくは番組終了日時になった時点で終了される。電波状態が悪い等により蓄積対象の番組を受信できなかった場合、ステップＳ２３０へ再び移行する。
〈１−５．蓄積中の選局処理について〉
ここで、本発明の第一の実施形態に係る車載用受信装置１００が実施する蓄積中の選局処理の処理フローについて、図９のフロー図を用いながら説明する。
【００９５】
図９に示す選局処理は、蓄積処理が実施されている状態において実施される。つまり本処理は、図８のステップＳ２５０により開始された蓄積処理と並行して行う。
【００９６】
再生制御部１４ｄはステップＳ３１０において、操作入力部２４に含まれる選局キーの押下が検知された否かを判定する。検知されていない場合、再びステップＳ３１０へ移行し、監視を継続する。
【００９７】
検知された場合、再生制御部１４ｄはステップＳ３２０において、選局情報管理テーブルを参照し、選局対象にできる番組を抽出する。例えば選局情報管理テーブルが図５に示す状態であった場合、ｅｖｅｎｔ＿ｉｄが０ｘ２０００である番組Ａと０ｘ３０００である番組Ｂとが、選局対象として抽出される。
【００９８】
次に再生制御部１４ｄはステップＳ３３０において、上記の抽出結果に基づき、選局動作を行う。例えば上記の例では、選局キーが押下されるたびに、番組Ａ→番組Ｂ→番組Ａの順に選局が行われる。
【００９９】
次に再生制御部１４ｄはステップＳ３４０において、上記で選局された即時視聴可能な番組をユーザが視聴できよう、放送波に含まれるデータの復調を行って出力部２３より出力するように各部（復調部１２等）を制御する。
【０１００】
以上に説明した本実施形態によれば、蓄積の実行と並行して、即時視聴可能なリアルタイム型放送の番組を復調し、ユーザが視聴できるようにする。この際、蓄積に用いられている周波数帯域で放送されている番組のみを対象として選局を行う。これによりユーザは、即時視聴ができない蓄積型放送の蓄積が実行されている状態において、蓄積を継続しつつ、即時視聴可能な番組を視聴することができる。
【０１０１】
次に、本発明の第二の実施形態について、図面を参照しつつ説明する。
［実施の形態２］
〈２−１．内部構成について〉
実施の形態１と同内容であるため、ここでは説明を省略する。
〈２−２．機能部の構成について〉
実施の形態１の図２と同様の構成であるが、蓄積処理部１４ｂ及び再生制御部１４ｄの機能が一部異なる。
【０１０２】
本実施形態の蓄積処理部１４ｂは、蓄積型データとして、放送波に含まれるＶＩＣＳ（Vehicle Information and Communication System）データを取得して記録する。ＶＩＣＳデータには、ＶＩＣＳリンクＩＤ、道路種別、渋滞先頭位置、渋滞長及び渋滞度合いからなる渋滞情報等が複数含まれている。
【０１０３】
なお、取得したＶＩＣＳデータは、ＨＤＤ１３等に記録するだけではなく、不図示の外部出力端子等を用いて外部装置、例えばナビゲーション装置等へ送出する形態でもよい。ＶＩＣＳデータを受けたナビゲーション装置は、ＶＩＣＳデータを用いることにより、ナビゲーション装置が備える画面上に渋滞情報を示す画像等を表示することが可能である。
【０１０４】
本実施形態の再生制御部１４ｄは、蓄積処理部１４ｂによりＶＩＣＳデータの取得が行われている状態において、ＶＩＣＳデータと異なるデータ、例えば放送波に含まれる画像／音声データの再生指示を検知した場合に、ＶＩＣＳデータと同一の周波数帯域で受信可能であり、且つ即時視聴可能なデータを判別する。そして判別したデータのみを対象として、再生を行う。
【０１０５】
或いは再生制御部１４ｄは、ＶＩＣＳデータを受信している周波数帯域とは異なる周波数帯域への選局指示を検知した場合に、その周波数帯域でＶＩＣＳデータが送出されていれば選局可能とし、ＶＩＣＳデータが送出されていなければ選局不可とする形態でもよい。いずれにしろ、ＶＩＣＳデータの取得を最優先とし、ＶＩＣＳデータが取得できる範囲内で、即時視聴可能な画像／音声データ（番組）の再生を実施する。
【０１０６】
再生制御部１４ｄは、ＶＩＣＳデータの取得を優先するか、或いは通常番組の受信を優先するかの設定を予めユーザ操作により受け付けおき、この設定に基づいて、ＶＩＣＳデータが取得できる範囲内での選局を行うか否かを決定する。
【０１０７】
また本実施形態の再生制御部１４ｄは、周波数帯域の変更を必要とする選局指示、例えばＥＰＧからの番組指定による、他チャンネルの選局指示が検知された場合に、蓄積の中断が必要である旨を示す通知を行う。実施の形態１の再生制御部１４ｄは、蓄積中に選局指示を検知した場合に、周波数帯域を変更することなく選局できる番組を検出していたが、本実施形態ではこれに限定するものではなく、選局が必要と判断された場合に、例えば図１０に示す通知画面を生成して表示し、ユーザ指示を受け付ける。
【０１０８】
図１０に示す通知画面９０には、選局を行った場合に蓄積を中断する必要があることを示すメッセージと、中断を行うか否かをユーザが選択するためのカーソル９１が含まれている。また通知画面９０には、中断が必要な蓄積型放送、つまり蓄積中である蓄積型放送の番組の再放送回数と再放送日時とが含まれている。なお再放送日時はＥＩＴ等から取得する。
〈２−３．選局情報管理テーブルの作成処理について〉
実施の形態１と同内容であるため、ここでは説明を省略する。
〈２−４．蓄積処理について〉
実施の形態１と同内容であるため、ここでは説明を省略する。
〈２−５．蓄積中の選局処理について〉
実施の形態１と同内容であるため、ここでは説明を省略する。ただしＶＩＣＳデータの受信を優先するように予め設定を受け付けている場合、図９のステップＳ３３０において、ＶＩＣＳデータの受信を継続可能な選局動作のみを行い、ステップＳ３４０において、選局された番組を再生する。
【０１０９】
或いはステップＳ３３０において、通知画面９０を表示し、選局を実行するか否かの選択をユーザより受け付け、ステップＳ３４０において、必要であれば蓄積を中断し、選局された番組を再生する。
【０１１０】
以上に説明した本実施形態によれば、ＶＩＣＳデータの蓄積と並行して、即時視聴可能な番組を再生し、ユーザが視聴できるようにできる。また、蓄積中の周波数帯域で受信不可能な番組が選局された場合に、蓄積中の番組の再放送回数と再放送日時とを通知し、蓄積を中断するか否かの選択をユーザより受け付ける。これによりユーザは、蓄積を優先するか、或いは視聴を優先するかを、より好適に判断することができる。
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【０１１１】
従って本発明は、以下の形態にも適用可能である。
【０１１２】
（Ａ）上記実施形態では、本発明の蓄積処理及び再生制御処理を実施するデジタル放送受信装置として、車載用受信装置１００を例に説明しているが、これ以外のデジタル放送受信装置において実施する形態でもよい。例えば、ポータブルテレビやテレビ付き携帯電話等で実施する形態でもよい。
【０１１３】
（Ｂ）上記実施形態では、本発明の各種処理に関わる各機能部が、マイクロプロセッサ等の演算処理装置上で所定のプログラムを実行することにより実現されているが、各種機能部が複数の回路により実現される形態でもよい。
【０１１４】
（Ｃ）上記実施形態では、選局動作としてアップダウン選局を例示しているが、これ以外の選局動作において、即時視聴可能なリアルタイム型放送のみを選局対象とし、蓄積型放送を選局対象外とする形態でもよい。例えば、蓄積処理中において、現在の周波数帯域で選局可能なリアルタイム型放送のみをＯＳＤ表示し、操作入力部２４に含まれる選択キー等により選択を受け付けて選局を行う形態でもよい。
【符号の説明】
【０１１５】
１００    車載用受信装置（デジタル放送受信装置）
１１      チューナ（放送受信部）
１２      復調部（放送受信部）
１３      ＨＤＤ（記録部）
１４      ＣＰＵ
１４ａ    サーチ部（受信制御部）
１４ｂ    蓄積処理部
１４ｃ    判別部
１４ｄ    再生制御部
１５      ＲＡＭ
１６      ＲＯＭ
１７      オーディオフィルタ
１８      オーディオデコーダ
１９      ビデオフィルタ
２０      ビデオデコーダ
２１      データフィルタ
２２      データデコーダ
２３      出力部
２４      操作入力部
【図１】
2013031078.tif 000003
【図２】
2013031078.tif 000004
【図３】
2013031078.tif 000005
【図４】
2013031078.tif 000006
【図５】
2013031078.tif 000007
【図６】
2013031078.tif 000008
【図７】
2013031078.tif 000009
【図８】
2013031078.tif 000010
【図９】
2013031078.tif 000011
【図１０】
2013031078.tif 000012